(57)【特許請求の範囲】
【請求項１】
二等辺三角形状をなす主溝蓋（１）と、主溝蓋（１）の等しい２辺の交わる交点より底辺への垂線により左右に２分割した直角三角形状をなし主溝蓋（１）が連設されたときに両端部に配設される副溝蓋（２）、（３）より構成される溝蓋において、該副溝蓋（２）、（３）を配設したときに隣位する主溝蓋（１）の二等辺三角形状の等しい辺の交わる頂点側に位置する脚片（９）を隣位する主溝蓋（１）の次に配設された主溝蓋（１）の底辺側の脚片（５）、（６）間に位置するように、副溝蓋（２）、（３）の蓋板の裏面よりア−ム（１０）を突出させ設けたことを特徴とする溝蓋。
【発明の詳細な説明】
【０００１】
【発明の属する技術分野】
本発明は、道路の側溝や横断溝、建築物に付属する排水溝などに設けられる溝蓋に関するもので、さらに詳しくは二等辺三角形状をなし各頂部に脚片を垂設した主溝蓋と、該二等辺三角形状の主溝蓋の等しい２辺の交わる交点より底辺への垂線により主溝蓋を左右に２分割した直角三角形状をなし各頂部に脚片を垂設し主溝蓋が連設されたときに両端部に配設される副溝蓋より構成してなる溝蓋に関するものである。
【０００２】
【従来の技術】
従来、道路の側溝などの溝に設けられる溝蓋は、コンクリート製の外排水の良好なステンレス鋼板などを短冊状に切断したものを組立てたグレーチングや、鋳鉄で成型された透孔を有する溝蓋が広く使用されており、さらに鋳鉄製でがたつくことのない三点支持式の溝蓋が使用されるようになってきた。
【０００３】
すなわち、鋳鉄製の三点支持式の溝蓋は、実公昭５６−３７０２６号路上溝の蓋、実公昭６１−２２１３号溝蓋、実公昭６１−１７０８５号溝蓋、実公平７−５４３８４号溝蓋などの連結機構、実案登録第２５４０３６７号溝蓋などが公告、登録されており、本願出願人も特開平９−３２８８０７号Ｕ字溝ブロック連設用の溝蓋、特開平１０−１０２５７１号溝蓋を出願している。
【０００４】
これらの溝蓋は、二等辺三角形状をなす主溝蓋が連設され、その両端に直角三角形状の副溝蓋を配設するよう構成されるが、連設したとき中間部に位置する個々の溝蓋が取外しが出来ないよう隣位する溝蓋の裏面に突出する係止片が形成され、さらにはコンクリート工場にて成型されるＵ字溝ブロック単位に溝蓋が配設されるようになって来た。
【０００５】
【発明が解決しようとする課題】
以上述べた如く、溝蓋が二等辺三角形状をなす主溝蓋と、直角三角形状をなす副溝蓋により構成された場合、各溝蓋は各頂点に垂設された三つの脚片で支持されているので、がたつきもなく鋳鉄製のため耐圧強度も良好で広く使用されるようになって来た。また、コンクリート製のＵ字溝ブロックがコンクリート工場で成型される場合、Ｕ字溝ブロックの長さは２０００mm、４０００mmと正確な寸法で成型され、溝蓋も主溝蓋、副溝蓋が配設されたとき２０００mmまたは４０００mmになるよう設計製作されＵ字溝ブロックの単位毎に溝蓋が配設されるようになり、長尺連設された場合でも溝蓋間に大きな隙間が生ずることがなくなり、がたつきも少なくなって来た。
【０００６】
然し乍ら、Ｕ字溝ブロックの単位毎に溝蓋を配設する場合、夏季など溝蓋の膨張を考慮し、溝蓋を連設したときの長さをＵ字溝ブロックの長さより僅か短かくなるよう設計施工されているので、重車輌が溝蓋上を溝に直交する方向に横断する場合は殆んどがたつくことなく騒音も発生しないが、溝蓋上を溝方向（溝蓋の連設方向）に走行したり、溝蓋上で停車すると端部に配設された副溝蓋のある辺方向に異常な力が加わり反対側の脚片が浮上がったり隣位する主溝蓋間に隙間が生じ、がたつき音が発生することがある。
【０００７】
このように溝蓋上を溝蓋連設方向に車輌が通過する場所に設置されてもがたつき音の発生しない溝蓋が要求されるようになって来た。
本発明は、溝蓋上を車輌が走行、停止した場合でもがたつき音の発生しない溝蓋を提供するを目的とする。
【０００８】
【課題を解決するための手段】
上記目的を達成するため、本発明の二等辺三角形状をなす主溝蓋と該二等辺三角形状の主溝蓋の等しい２辺の交わる交点より底辺への垂線により主溝蓋を左右に２分割した直角三角形状をなす副溝蓋よりなる溝蓋において、該副溝蓋を配設したとき隣位する二等辺三角形状をなす主溝蓋の等しい２辺の交わる頂点側に位置する副溝蓋の脚片を隣位する主溝蓋の次の主溝蓋の底辺側の脚片間に位置するよう副溝蓋の蓋板の裏面よりア−ムを突出させて設け支点を延ばすよう構成することにより解決せるものである。
【０００９】
なお、脚片を隣位する主溝蓋の次の主溝蓋の底辺側の脚片間に位置させるが、隣位する主溝蓋の頂点側の脚片に接する底辺側の脚片に近接して設けると、副溝蓋と主溝蓋間を離す力が加わったとき副溝蓋の脚片が主溝蓋の脚片に接し副溝蓋間に隙間が生ずることなく、がたつきも無くなるものである。
【００１０】
【発明の実施の形態】
発明の実施の形態を実施例にもとづき図面を参照して説明する。
図１〜３に示す如く、本願発明の鋳鉄などで鋳造してなる溝蓋は二等辺三角形状をなす主溝蓋(1)が連設され、その両端部に直角三角形状をなす副溝蓋(2)、(3)が配設するよう構成され、一般にはコンクリート製Ｕ字溝の寸法に合わせ製作される。なお、副溝蓋(2)、(3)は図３に示す主溝蓋(1)の等しい辺(13)、(14)の交点(15)より底辺(16)に下した垂線により左右に２分割された形状をなし、図１の如く連設したとき歯合するよう相接する辺の裏側より係止片(17)が突設される。
【００１１】
このように構成された溝蓋の副溝蓋（２）、（３）において、図１、２に示す如く、連設したときに隣位する二等辺三角形状の主溝蓋（１）の等しい２辺が交わる側の頂点に位置する脚片（４）に接する脚片（９）を、副溝蓋（２）、（３）の裏面側の係止片（１７）の裏側よりア−ム（１０）を突設し、隣位する主溝蓋（１）の次の主溝蓋（１）の底辺側の脚片（５）、（６）間に位置するよう構成せるものである。
【００１２】
なお、副溝蓋（２）、（３）の隣位する主溝蓋（１）の頂点に位置する脚片（４）に接する脚片（９）を移した頂部（１１）の裏面は、受枠に接しないように構成されるが、頂部（１１）の上部側面は隣位する主溝蓋（１）の頂点に位置する脚片（４）上部に接するよう構成し、さらに図１に示す如く溝蓋を連設したとき副溝蓋（２）、（３）の脚片（９）、（９）は隣位する主溝蓋（１）の頂点に位置する脚片（４）に接する次の主溝蓋（１）の底辺側の脚片（５）又は（６）に近接するよう構成するとよく、ア−ム（１０）は副溝蓋（２）、（３）の裏面側の係止片（１７）の裏面より突設したが隣位する主溝蓋（１）のリブ（１２）などに接しないようにすればよく、突設位置は限定するものでない。
【００１３】
【発明の効果】
本願発明は、以上述べた如く構成されているので次に記載する効果を有する。副溝蓋の主溝蓋の等しい辺の交わる頂点側に位置する脚片を副溝蓋の裏面よりア−ムを延ばし延長したので、副溝蓋の三点支持の支点が主溝蓋側に延ばされ副溝蓋が支えられるので安定性を増し、がたつきが少なくなるものである。さらに、副溝蓋と主溝蓋を離すような力が作用した場合、副溝蓋の脚片が主溝蓋の脚片に引掛り隙間が生ずる恐れなく、がたつきもなくなるものである。
【図面の簡単な説明】
【図１】  本発明の溝蓋を連設した状態を示す概略平面図。
【図２】  本発明の副溝蓋の格子状透孔を省略した裏面図。
【図３】  本発明の主溝蓋の格子状透孔を省略した裏面図。
【図４】本発明の副溝蓋の格子状透孔を一部省略した裏面図。
【符号の説明】
１            主溝蓋
２、３        副溝蓋
４、５、６    （主溝蓋の）脚片
７、８、９    （副溝蓋の）脚片
１０          アーム
１１          頂部
【図１】
0004022788.tif 000002
【図２】
0004022788.tif 000003
【図３】
0004022788.tif 000004
【図４】
0004022788.tif 000005